(57)【要約】  外側油圧シリンダ（１０）内で円筒状中空ロッドが作動する油圧シリンダ（１）が開示される。円筒状中空ロッドは、ピストン（２）と、ピストングランド（３）を有する内部ロッド（４）と、を含む。シリンダ中空ロッド（１）は、円筒状ハウジング内で長手方向に移動可能に保持されている。また、このシステムは、円筒状ベース（５）と、油圧シリンダ（１０）の外側ケースに対する繊維カバー（１４）とを有する。このシステムは、さらに、４つのチャンバ（６，７，８，及び９）に対応する流体用のポート（１１，１２，及び１３）を有する。本発明によれば、チャンバ（７）に圧力が加えられると、内部ロッド（４）がチャンバ（６）内に延びて、その内容物を押しのけ、チャンバ（６）内の圧力を劇的に増大させる。この押しのけ作用により、実質的には、ロッド（１）の所与のストローク内で複数回作動可能な内部ポンプが構成される。【選択図】  図１
2021532311.tif 000002
【特許請求の範囲】
【請求項１】
ピストン、ピストングランド、及び内部ロッドを有する円筒状中空ロッドを含み、当該円筒状中空ロッドは、外側円筒状ハウジング内で長手方向に移動可能に保持されている、油圧シリンダアセンブリ。
【請求項２】
前記円筒状中空ロッドは、前記油圧シリンダアセンブリの外側におけるその本体の上端において流体を流すための油圧ポートと、前記油圧シリンダアセンブリの内側における前記本体のベース付近において流体を流すための追加的油圧ポートと、を含む、請求項１に記載の油圧シリンダアセンブリ。
【請求項３】
前記円筒状中空ロッドは、前記ピストングランドに固定された別の中空ロッドを有し、当該別の中空ロッドの内側で、前記円筒状中空ロッドの前記内部ロッドが摺動することによって延出及び後退する、請求項１に記載の油圧シリンダアセンブリ。
【請求項４】
前記外側円筒状ハウジングは、シリンダベースと、当該シリンダベースの近傍で流体を流すための油圧ポートと、本体内で流体を流すための追加的な油圧ポートと、を有し、これらのポートは、前記外側円筒状ハウジングの本体外側に配置されている、請求項１に記載の油圧シリンダアセンブリ。
【請求項５】
前記外側円筒状ハウジングは、その本体に繊維材料、すなわち炭素繊維又はナノチューブ繊維のカバーを有する、請求項１に記載の油圧シリンダアセンブリ。
【発明の詳細な説明】
【技術分野】
【０００１】
本発明は、油圧シリンダに関し、より具体的には、ピストンロッドとして機能する同軸円筒状中空ロッドを内部に配置した入れ子構造（intrascopic arrangement）により、従来型の油圧シリンダの範囲を超えた分野における用途において、力、速度、圧力、及び流量を多様に変化させることが可能な油圧シリンダに関する。
【背景技術】
【０００２】
油圧シリンダは、様々な産業用途において直線運動制御を行うために広く使用されている。これらのシリンダは、円筒状の金属ケースと、当該ケース内で前後に移動するピストンロッドアセンブリとで構成されている。ピストンとロッドのアセンブリにより、シリンダケース内の空間が、例えば前方チャンバ及び後方チャンバなどの２つの別個のチャンバに分割されている。単一ロッドシリンダの場合、これらの２つの空間は、それぞれロッド端空間（前方チャンバ）及びキャップ端空間（後方チャンバ）と呼ばれ、当該ロッド端空間において、ロッド端は、ロッドが突出するシリンダの端部であり、当該キャップ端空間において、キャップ端は、ロッドを有さない。
【０００３】
これらの空間が加圧されると、加圧流体による静圧（hydrostatic forces）が、流体を含む容器の表面に作用する。したがって、ピストンロッドアセンブリに作用する力により、当該アセンブリを移動させて、シリンダケースからロッドを延出させたり、当該シリンダケース内に当該ロッドを後退させたりすることができる。シリンダロッドには外部負荷を取り付けることができ、ピストンロッドアセンブリが移動すると、当該負荷に力が作用して当該負荷を直線経路に沿って移動させる。後退した状態のシリンダにおいて、キャップ端を出た流れは、ポートを介して流出した後、シリンダポートを介して油圧回路の残りの部分に戻る。ピストンがストロークの終わりに到達したとき、又はピストンがエンドキャップに接触したとき、シリンダは停止する。通常、ピストンの両側にはシリンダクッションスピア（cylinder cushion spear）及びカラーが取り付けられており、これによって、ピストンが後退中にエンドキャップに接触する前、又はピストンが延出中に他端に到達する前に、当該ピストンを容易に減速させることができる。
【０００４】
したがって、後方チャンバ及び前方チャンバを有する従来の複動式油圧シリンダ（double acting hydraulic cylinders）は、シリンダケースの内面の範囲内でピストンロッドアセンブリを延出及び後退させることによって、本質的に機能する。通常、ピストンロッドアセンブリが延出する速度は、後退するときの速度よりも速い。これは、ピストンロッドアセンブリが異なる速度で両方向に移動することを意味する。この違いの理由は、ポンプが特定量の流体を押すと、当該流体がバルブを通って後端又は前端に移動することを考慮すれば理解できるであろう。実際は、後方チャンバにおいてピストンを押して延出させるためには、前方チャンバにおいてピストンを押して後退させる場合と比較してより多くの流体量が必要になる。したがって、シリンダの後方部に支配的な圧力が導入されると、ロッドがゆっくりと延び、同様の圧力がシリンダの前方部に加えられると、当該ロッドはより速く後退する。
【０００５】
延出中又は後退中にピストンロッドアセンブリの速度を制御する必要がある場合、流体の流れを制御することによりこれを達成することができる。一般的な方法は、後方又は前方のチャンバのバルブと流入口／流出口との間の油圧回路に流量制御装置を設置することである。
【０００６】
従来技術の文献において、マルチパワーシリンダを作製するための多くの試みが報告されているが、これらは全て外的な解決策を含むものであった。本書に開示される発明は、独立型の油圧シリンダ及び制御装置に完全に組み込まれた解決策である。外部増圧器（external intensifier）、高圧の二次油圧ライン、又は他の妥協をする必要はない。
【発明の概要】
【発明が解決しようとする課題】
【０００７】
従来の油圧シリンダは、油圧ポンプ及びバルブにより供給される圧力及び流量に依存するため、その操作性はかなり制限される。通常のシリンダは、圧力及び流量の供給が制限されているため、より大きい力が必要な場合には機能しない場合がある。より大きい力が必要な用途においては、小さいシリンダをより大きいシリンダに交換する必要がある。シリンダを大きくすると、その延出及び後退により時間がかかると考えられる。したがって、要求される力の広い範囲で機能することが可能な効率的且つコンパクトな油圧シリンダが求められている。
【課題を解決するための手段】
【０００８】
本発明に開示されるような複数のシリンダを互いに入り込ませた入れ子式構造は、従来の油圧回路により供給される圧力よりも高い圧力を生成することができる。これにより、シリンダをシリンダポンプに変換することができる。
【０００９】
本発明の入れ子式シリンダは、小型シリンダと同様に迅速に機能することができ、さらに、必要に応じて強大な力を生成することも可能である。ほとんどの用途において、油圧シリンダは、その潜在能力のうちのごく一部のみを使用するが、その能力は、時折ピーク負荷を生成するのに十分に大きいものでなければならない。本発明のシリンダは、小型化、軽量化、及び高速化が可能であるが、必要に応じて大きい力を生成することも可能である。
【発明の効果】
【００１０】
本発明の入れ子式油圧シリンダは、従来の油圧シリンダが使用される様々な用途において、標準的な油圧シリンダでは不十分な場合に使用可能である。本発明は、同じサイズの従来の油圧シリンダでは不可能なレベルの増圧、変速、負荷の切り替え、力の切り替え、及び力の増強を行うために主に使用される。
【図面の簡単な説明】
【００１１】
【図１】第１実施形態における本発明の入れ子式油圧シリンダを示す断面図である。
【００１２】
【図２】第２実施形態における本発明の入れ子式油圧シリンダを示す断面図である。
【００１３】
【図３】本発明の油圧シリンダのプロトタイプの試験結果を示す図である。
【００１４】
【図４】図３に示す試験結果を示すグラフである。
【図面における符号の説明】
【００１５】
１    円筒状中空ロッド
２    ピストン
３    ピストングランド
４    内部ロッド
５    シリンダベース
６    チャンバ
７    チャンバ
８    チャンバ
９    チャンバ
１０    シリンダ
１１    油圧ポート
１２    油圧ポート
１３    油圧ポート
１４    ファイバ
１５    中空ロッド
【発明を実施するための形態】
【００１６】
上記背景技術及び先行技術で提起された課題に対処する本発明の好ましい実施形態の詳細を、進歩性とともに以下で詳細に説明する。本発明には、これらの実施形態に加えて、本書で説明する重要な進歩性を有する他の潜在的な実施形態が存在しうるため、特許の範囲及び目的は限定されない。
【００１７】
本発明の入れ子式油圧シリンダは、２つの油圧シリンダを１つに組み合わせたものとして想定されており、その外側ケース、すなわち外側ハウジングは標準的なシリンダと実質的に類似している。したがって、この概念において、外側シリンダの内部における逆向きの相対的に小さい油圧シリンダは、従来の油圧シリンダのピストンロッドアセンブリのように機能する。このような構成により、従来の油圧シリンダに見られるような２つのチャンバ（前側チャンバ及び後側チャンバ）を上回る数のチャンバを有することが可能になり、これに付随してより多くの油圧ポートを有することができる。上記構成においては、チャンバのうちの１つに圧力が加えられると、その内部ロッドが反対側のチャンバ内に延びてその内容物を押しのけ、内部の圧力を劇的に増大させる。この押しのけ作用により、実質的には、変形ロッド（すなわち、外側シリンダ内における逆向きの相対的に小さいシリンダ）の所与のストローク内で複数回作動可能な内部ポンプが構成される。
【００１８】
上記概念は完全に「新規」なものであり、我々の知る限り、これまでどこにも報告されていない。さらに、本発明の特徴を、以下の例において可能な実施形態として説明する。＜実施例＞
【００１９】
図１は、本発明の一実施形態を示しており、「円筒状中空ロッド」１と呼ばれる相対的に小さいシリンダが、従来の油圧シリンダの外側ケースに多少なりとも類似した外側シリンダ１０及びベース５の内部において、従来の油圧シリンダのロッドのように機能する。この装置と従来の油圧シリンダとの違いは、図１に示す実施形態が、４つのチャンバ６、７、８、及び９に対応する複数の流体用ポート１１、１２、及び１３を有する点である。相対的に小さい内側シリンダ１のロッド端は、中空であり、ピストン２と、グランド３と、内部ロッド４とを含む。外側シリンダ１０は、従来の複動式シリンダ（double acting cylinder）と同様である。チャンバ７に圧力が加えられると、内部ロッド４がチャンバ６内に延びて、その内容物を押しのけて、チャンバ内の圧力を劇的に増大させる。この押しのけ作用により、実質的には、ロッド１の所与のストローク内で複数回作動可能な内部ポンプが構成される。
【００２０】
チャンバ６に圧力を導入した後、チャンバ７に圧力を導入することにより、ロッド４が、圧力が加えられている圧力チャンバ６を体積変化させて、当該チャンバ内の圧力を増大させる。シリンダ１０は、同じ穴径の従来シリンダの場合と比較して、ロッド１を介して伝達される力を増加させる。
【００２１】
チャンバ６が、システム圧力又は所定圧で最大力ポテンシャル（maximum force potential）に到達した後、チャンバ７に圧力を導入することにより、ロッド４は、チャンバ６内の流体を押しのけて、油圧供給源又は「システム圧力」により導入された圧力よりもチャンバ６内の圧力を増大させる。これにより、入れ子式シリンダは、通常サイズのシリンダ、及び制限のない圧力供給が不可能な油圧システムにおいてこれまで達成できなかった力を生成することができる。
【００２２】
互いに組み合わされた油圧シリンダの概念は、多くの異なる実施形態において実施可能である。図２には、内部ロッド４が中空ロッド１５内で摺動する、本発明の他の実施形態が示されている。
【００２３】
図２に示す本実施形態においては、チャンバ６に圧力が加えられ、続いてチャンバ７に圧力が加えられると、ピストン２が、チャンバ６内にロッド４を押し込んだ後、チャンバ６内に中空ロッド１５を押し込むことにより、複数の速度及び力を生成する。
【００２４】
したがって、従来型の油圧シリンダが、油圧ポンプ、バルブ、及び外部増圧器により供給される圧力及び流れに依存するのに対し、本発明の入れ子式シリンダは、従来型油圧回路により供給される圧力よりも高い独自の圧力を生成することができる。これにより、シリンダをシリンダ／ポンプに変換することができる。
【００２５】
座屈強度及びバンド強度（band strength）は、油圧シリンダの製造における２つの大きな課題であるが、これらの課題は、本発明において内部ロッド１を幅広及び中空にすることにより解決することができる。なお、図１に示すロッド４及び後部ブロック５が衝突しないように注意が払われる。
【００２６】
油圧シリンダにおける他の課題は、外側シリンダ１０（図１）の湾曲（bowing）、すなわち膨張であるが、これは、本発明の入れ子式油圧シリンダの外側シリンダ１０に対して、繊維材料、すなわち炭素繊維又はナノチューブ繊維の追加カバー１４を設けることにより防止することができる。
【本発明を実施する最良モード、及び産業上の利用可能性】
【００２７】
本発明の産業上の利用可能性を示すために、図１に示す設計に従って実験室規模のシリンダのプロトタイプを製造した。シリンダのチャンバ６及び７には、所定の外圧でチャンバ６のポートを介して流体が流入したときのこれらのチャンバ内の圧力を監視するのに適した圧力計が装備された。図３に示すように、チャンバ６への供給圧力に対するチャンバ６及び７内の圧力が観察された。図４には、入れ子構造により増大したこのシリンダ内の圧力を、チャンバ６内で観察された圧力として示すグラフが示されている。当該グラフにおいて、約５０バールの比較的低い圧力で、１３５バールもの高い圧力を得られることが分かる。
【図１】
2021532311.tif 000003
【図２】
2021532311.tif 000004
【図３】
2021532311.tif 000005
【図４】
2021532311.tif 000006
【国際調査報告】
2021532311.tif 000007
2021532311.tif 000008
2021532311.tif 000009